(57)【要約】      （修正有）【課題】利便性がよくかつよりセキュリティーの高い部屋管理をし得る部屋管理システム及び装置を提供する。【解決手段】部屋利用者が所持する少なくとも記憶機能を有する金融カードと、部屋利用者が当該部屋を利用前に、少なくとも部屋鍵情報と利用開始日時及び終了予定日時とを金融カードに登録する情報登録手段と、部屋利用者が当該部屋を利用する際に、金融カードから少なくとも部屋鍵情報と利用開始日時及び終了予定日時とを読み取る情報読取手段と、情報読取手段からの利用開始日時及び終了予定日時とに基づいて利用許可期間内であることを確認すると共に、予め設定されている認識情報と部屋鍵情報とに基づいて部屋鍵情報の認証をする情報認証手段と、情報認証手段の認証結果に応じて、当該部屋錠の解錠又は旋錠を制御する錠制御手段とを備える。【選択図】      図１
2004206516.tif 000002
【特許請求の範囲】
【請求項１】
部屋利用者の部屋鍵としてカードを用いる部屋管理システムにおいて、
上記部屋利用者が所持する、少なくとも記憶機能を有する金融カードと、
上記部屋利用者が当該部屋を利用前に、少なくとも、当該部屋の部屋鍵情報と、当該部屋の利用開始日時情報と、当該部屋の利用終了予定日時情報とを上記金融カードに登録する情報登録手段と、
上記部屋利用者が当該部屋を利用する場合に、上記金融カードから少なくとも上記部屋鍵情報と上記利用開始日時情報と上記利用終了予定日時情報とを読み取る情報読取手段と、
上記情報読取手段からの上記利用開始日時情報と上記利用終了予定日時情報とに基づいて利用許可期間内であることを確認すると共に、予め設定されている認識情報と上記部屋鍵情報とに基づいて上記部屋鍵情報の認証をする情報認証手段と、
上記情報認証手段の認証結果に応じて、当該部屋錠の解錠又は旋錠を制御する錠制御手段と
を備えることを特徴とする部屋管理システム。
【請求項２】
少なくとも上記部屋鍵情報と上記利用開始日時情報と上記利用終了予定日時情報とを含む部屋情報を部屋毎に記憶する部屋情報記憶部を有する統括管理装置を備え、
上記統括管理装置が、
各部屋に設置された上記情報読取手段からの少なくとも上記部屋鍵情報と上記利用開始日時情報と上記利用終了予定日時情報と、上記部屋情報記憶部の上記部屋情報とに基づいて、利用許可期間内であるか否かの確認と共に、各上記部屋鍵情報の認証をする上記情報認証手段と、
上記情報認証手段による認証結果に応じて、上記情報読取手段に対応する上記錠制御手段に解錠又は旋錠指示を与える錠制御指示手段と
を有することを特徴とする請求項１に記載の部屋管理システム。
【請求項３】
上記部屋利用者が当該部屋の利用終了後に、上記情報登録手段により登録された各情報を、上記金融カードから取り出し廃棄する廃棄手段を備えることを特徴とする請求項１又は２に記載の部屋管理システム。
【請求項４】
上記金融カードが、非接触型ＩＣ又は接触型ＩＣを搭載しているＩＣカードであることを特徴とする請求項１〜３のいずれかに記載の部屋管理システム。
【請求項５】
部屋利用者の部屋鍵として金融カードを用いる部屋管理装置において、
上記部屋利用者が所持する少なくとも記憶機能を有する金融カードから、少なくとも部屋鍵情報と利用開始日時情報と利用終了予定日時情報とを読み取る情報読取手段と、
上記情報読取手段からの上記利用開始日時情報と上記利用終了予定日時情報とに基づいて利用許可期間内であることを確認すると共に、予め設定されている認識情報と上記部屋鍵情報とに基づいて上記部屋鍵情報の認証をする情報認証手段と、
上記情報認証手段の認証結果に応じて、当該部屋錠の解錠又は旋錠を制御する錠制御手段と
を備えることを特徴とする部屋管理装置。
【発明の詳細な説明】
【０００１】
【発明の属する技術分野】
本発明は、部屋管理システム及び装置に関し、例えばホテル等の施設内において、客室の部屋錠の解錠／旋錠を制御する管理システム及びその構成要件である装置に適用できる。
【０００２】
【従来の技術】
例えば、ホテル等の施設において客室を利用する場合、客室利用者は、ホテルの受付でチェックインの手続を済ませた後に、客室の部屋鍵を受け取り、その部屋鍵を用いて部屋錠を解錠又は旋錠して客室を利用することになる。
【０００３】
しかし、客室利用者に手渡される部屋鍵は、重く又かさばるため、客室利用者にとって、ホテル滞在期間中の部屋鍵の管理等が面倒であり必ずしも利便性がよくなかった。
【０００４】
このような事情に鑑み、最近では下記の特許文献１に示すような、カードを部屋鍵とするカード使用のホテルシステムがある。
【０００５】
【特許文献１】
特願平７−１３９３７６号公報
【０００６】
【発明が解決しようとする課題】
一般的に、部屋鍵としてカードを利用するカード式鍵制御システムにおいて、部屋鍵であるカードは、施設専用（例えばホテル専用）のものであり、施設管理者側が所有するものである。
【０００７】
ところで、部屋鍵カードは、軽量で持ち運びに便利であるが、客室利用者にとっては、普段持ち慣れていないものであるので、どこかに置き忘れてしまう等のカード紛失をするおそれがある。
【０００８】
施設管理者は、このような部屋鍵カード紛失等に対し、その客室の部屋鍵カードを再度発行することになり、その再発行に係る多大な対処が必要となる。
【０００９】
また、例えばホテルは、多くの施設利用者が施設を利用するが、必ずしもホテル内にいる者が客室利用者であるとは限らないので、客室利用者が利用する客室を充分管理をすることが望まれている。
【００１０】
例えば部屋鍵カード紛失した場合、その部屋鍵カードを発見した者が、部屋鍵カードを悪用するおそれもあり、このような事態に対しても、施設管理者側の充分な管理対処が望まれている。
【００１１】
そのため、部屋鍵としてカードを利用するシステムにおいて、利用者にとって利便性がよく、かつ、施設管理者がよりセキュリティーの高い部屋管理をし得る部屋管理システム及び装置が求められている。
【００１２】
【課題を解決するための手段】
かかる課題を解決するために、第１の本発明の部屋管理システムは、部屋利用者の部屋鍵としてカードを用いる部屋管理システムにおいて、部屋利用者が所持する、少なくとも記憶機能を有する金融カードと、部屋利用者が当該部屋を利用前に、少なくとも、当該部屋の部屋鍵情報と、当該部屋の利用開始日時情報と、当該部屋の利用終了予定日時情報とを金融カードに登録する情報登録手段と、部屋利用者が当該部屋を利用する場合に、金融カードから少なくとも部屋鍵情報と利用開始日時情報と利用終了予定日時情報とを読み取る情報読取手段と、情報読取手段からの利用開始日時情報と利用終了予定日時情報とに基づいて利用許可期間内であることを確認すると共に、予め設定されている認識情報と部屋鍵情報とに基づいて部屋鍵情報の認証をする情報認証手段と、情報認証手段の認証結果に応じて、当該部屋錠の解錠又は旋錠を制御する錠制御手段とを備えることを特徴とする。
【００１３】
第２の本発明の部屋管理装置は、部屋利用者の部屋鍵として金融カードを用いる部屋管理装置において、部屋利用者が所持する少なくとも記憶機能を有する金融カードから、少なくとも部屋鍵情報と利用開始日時情報と利用終了予定日時情報とを読み取る情報読取手段と、情報読取手段からの利用開始日時情報と利用終了予定日時情報とに基づいて利用許可期間内であることを確認すると共に、予め設定されている認識情報と部屋鍵情報とに基づいて部屋鍵情報の認証をする情報認証手段と、情報認証手段の認証結果に応じて、当該部屋錠の解錠又は旋錠を制御する錠制御手段とを備えることを特徴とする。
【００１４】
【発明の実施の形態】
（Ａ）第１の実施形態
以下、本発明の部屋管理システムの第1の実施形態について図面を参照して説明する。
【００１５】
第１の実施形態は、ホテルにおける各客室の部屋鍵としてカードを使用する場合の適用である。
【００１６】
なお、本実施形態では、施設の一例としてホテルを挙げて説明するが、ホテルに限られることなく、例えば、所定期間（例えば１週間、１ヶ月等）の賃貸マンション（ウィークリーマンション等）や、貸し別荘や、又プールのロッカー等その他顧客に対して錠付き室の使用提供を行なう施設に広く適用することができる。
【００１７】
（Ａ−１）第１の実施形態の構成
図１は、第1の実施形態の部屋管理システムの機能を説明するために、その機能ブロックとして示した概念図である。
【００１８】
図１に示すように、部屋管理システム１００は、客室利用者が所持するＩＣカード１と、ホテル従業員により操作される客室管理端末５と、客室ドア１０の部屋錠の近傍に設置された認識装置１１等を有する。
【００１９】
なお、図１では、説明便宜のため、ある１室の客室ドアのみを例示したものに過ぎないが、勿論、ホテルの全ての客室ドアにそれぞれ認識装置１１を備える。
【００２０】
また、客室ドア１０の部屋錠の開閉制御は、それぞれ対応する認識装置１１が行ない、この部屋錠の種類は、シリンダ方式の機械錠や電子錠などホテル側が使用している既存の錠に適用できる。
【００２１】
ＩＣカード１は、客室利用者が通常所持する非接触型ＩＣカードである。ＩＣカード１は、客室利用者が所持するカードであり、例えば、クレジットカードやデビットカード等に適用できる。
【００２２】
また、本実施形態では、ＩＣカード１が非接触型ＩＣを搭載したカードとするが、情報の記憶、読出し、廃棄などをすることができる記憶手段を有するカードであれば広く適用することができる。よってＩＣカード１は、接触型ＩＣや、又はＩＣを搭載していない磁気カードにも適用できる。
【００２３】
非接触型ＩＣ２は、少なくとも記憶部４とアンテナ部３とを有しており、アンテナ部３を介して受信した情報を記憶部４に記憶させ、又記憶部４に記憶した情報をアンテナ部３を介して送信するものである。
【００２４】
ＩＣカード１は、チェックインの際に、ホテル受付の客室管理端末５のカード挿入口６に挿入され、客室管理端末５から客室利用者が利用する客室情報を受け取り、その客室情報を記憶するものである。
【００２５】
この客室情報とは、例えば、客室利用者に付与されたＩＤ番号や、部屋鍵情報、部屋番号、チェックイン日時や、チェックアウト予定日時等である。勿論、これら以外の情報を含ませることとしてもよい。例えば、ホテル側が提供するサービス（例えばプールやレストランの使用等）を受けるための使用許可情報やその客室利用者の個人情報等である。
【００２６】
ＩＤ番号は、客室管理端末５におけるＩＣカード１の管理番号であり、各ＩＣカード１毎に付されるものである。
【００２７】
部屋鍵情報は、客室ドア１０の部屋錠を解錠又は旋錠するために使用される鍵情報である。この部屋鍵情報は、各客室の部屋錠に対して少なくとも１以上設定された鍵情報であり、各客室の認識装置１１も同じ鍵情報が予め設定されている。従って、例えば、部屋鍵情報は各部屋錠に３個ずつ設定されるようにしてもよく、これらのうちいずれか１個の部屋鍵情報がＩＣカード１に与えられ、他の使用されなかった部屋鍵情報が、例えば予備の部屋鍵情報として使用されたり、又ホテル従業員のみの使用（例えば客室掃除のため等）されたりしてよい。
【００２８】
部屋番号は、客室利用者が利用する客室の部屋番号である。
【００２９】
チェックイン日時は、客室利用者がチェックインした日及び時刻である。チェックイン日時は、ホテル従業員による入力によってもよいが、客室管理端末５が搭載している時計機能が示した日時情報が入力されるようにしてもよい。
【００３０】
チェックアウト予定日時は、客室利用者のチェックアウトの予定日及び予定時刻である。
【００３１】
ＩＣカード１は、客室利用者が客室に入室する際に、その客室の認識装置１１に挿入され、客室情報を認識装置１１に与えるものである。すなわち、ＩＣカード１は、客室管理端末５からの部屋鍵情報を利用した客室の部屋鍵としての機能を有する。
【００３２】
客室管理端末５は、ホテル受付等に設置され、ホテル従業員に操作されるパソコン端末等である。客室管理端末５は、従来ホテル側が使用している端末にも対応させて使用することができるものである。
【００３３】
客室管理端末５は、少なくとも、客室利用者のチェックインの際に、その客室利用者が所持するＩＣカード１に客室情報を記憶させる客室情報の書き込み機能と、チェックアウトの際に、ＩＣカード１に記憶させた客室情報を取り出し、その客室情報をＩＣカード１から廃棄する客室情報の廃棄機能とを有するものである。
【００３４】
なお、客室管理端末５は、ネットワークを介して金融機関の個人認証装置（図示しない）と接続可能であり、チェックイン時のホテル従業員の操作により、客室利用者のＩＣカード１の暗証番号や客室利用者のＩＤ情報等を金融機関の個人認証装置に与え、客室利用者についての個人認証を金融機関の個人認証装置に求める機能を備えてもよい。
【００３５】
また、客室管理端末５は、チェックアウト時のホテル従業員の操作により、金融機関に接続して、客室利用者のＩＣカード１の口座番号に基づいて、客室利用の支払いをできる機能を備えてもよい。
【００３６】
図１に示すように、客室管理端末５は、少なくとも、カード挿入口６と、入力部７と、表示部８と、制御部９とを有する。
【００３７】
カード挿入口６は、客室利用者のＩＣカード１を取り込むものである。カード挿入口６は、客室情報を送受信する送受信部を内部に備えている。また、カード挿入口６は、客室管理端末５本体と一体となっていていてもよく、又客室管理端末５本体とは別装置であってもよい。
【００３８】
入力部７は、例えばキーボードやテンキー等のようなホテル従業員に操作される入力手段である。
【００３９】
表示部８は、各客室の利用状況や入力部７による入力情報やＩＣカード１から読み取った情報等を表示する表示手段である。
【００４０】
制御部９は、客室管理端末５の機能動作を制御するものである。
【００４１】
認識装置１１は、各客室ドア１０の近傍に設置された部屋錠の解錠又は旋錠を制御するものである。認識装置１１は、例えば客室ドア１０に設置したり、又は客室ドア１０近傍の壁に設置したりすることができるものである。
【００４２】
認識装置１１は、情報取込部１２にＩＣカード１がかざされたことを検知すると、ＩＣカード１の客室情報に含まれている少なくとも部屋鍵情報とチェックイン日時とチェックアウト予定日時とを取り込み、客室の利用期間を確認した上で、部屋鍵情報の認証処理をするものである。
【００４３】
認識装置１１は、客室情報に含まれているチェックイン日時とチェックアウト予定日時とに基づく期間を、部屋鍵情報を認証する有効な期間とし、当該認証所理時刻が利用期間内であることを確認して認証処理をする。
【００４４】
従って、認識装置１１は、部屋鍵情報の認証処理をする時刻がチェックイン日時及びチェックアウト予定日時の利用期間外である場合、その部屋鍵情報の認証処理を行わずエラーとして表示する。
【００４５】
また、認識装置１１は、情報取込部１２を客室の室内又は室外に設け、客室に入室する場合だけでなく、入室後に部屋錠を旋錠する場合にも適用できる。
【００４６】
認識装置１１の情報取込部１２は、近距離に位置する非接触型のＩＣカード１から客室情報を受信することができ、ＩＣカード１をかざすことで客室情報を受信できる非接触型対応受信部としてもよいし、又はカード挿入口を有し、挿入されたＩＣカード１を検知し客室情報を取得するものであってもよい。
【００４７】
図２は、認識装置１１の機能を有する内部構成を示したブロック図である。図２に示すように、認識装置１１は、情報読取部１３と、情報認証部１４と、部屋錠開閉制御部１５とを有している。
【００４８】
情報読取部１３は、検知されたＩＣカード１に記憶されている客室情報に含まれている少なくとも部屋鍵情報とチェックイン日時とチェックアウト予定日時とを読み取り、これら情報を情報認証部１４に与えるものである。
【００４９】
情報認証部１４は、情報読取部１３から少なくとも部屋鍵情報とチェックイン日時とチェックアウト予定日時とを受け取り、その客室の利用有効期間を確認する。また、情報認証部１４は、当該認証時刻が利用有効期間内であることを確認した場合、予め設定されている認識情報と部屋鍵情報とに基づいて認証処理をするものである。
【００５０】
部屋錠開閉制御部１５は、情報認証部１４による部屋鍵の認証結果に基づいて、客室に設置されている部屋錠を解錠又は旋錠したりするものである。部屋錠開閉制御部１５は、情報認証部１４からの認証結果が正当である場合、部屋錠を解錠又は旋錠し、正当でない場合、部屋錠の解除又は旋錠をせず現状を維持する。
【００５１】
また、認識装置１１は、図１に図示しないが、例えば表示手段を備え、チェックアウト日時や認証結果やその他ＩＣカード１に記憶されている情報を表示できるようにしてもよい。
【００５２】
また、認識装置１１は、認証結果に応じて、点灯する点灯手段や電子音を鳴らす電子ブザー等を備えるようにしてもよい。例えば、点灯手段は、部屋錠が旋錠されている間又は認証結果が正当であれば青色（緑色）に点灯し、認証結果が正当でなければ赤色に点灯するようにする。
【００５３】
（Ａ−２）第１の実施形態の動作
以下では、第１の実施形態の部屋管理システム１００の動作について説明する。
【００５４】
まず、チェックインの手続の際、ＩＣカード１に客室情報を記憶する動作について図３を参照して説明する。
【００５５】
図３に示すように、チェックインの際にホテル受付で、客室利用者が所持するＩＣカード１がホテル従業員に手渡され、ＩＣカード１が客室管理端末５のカード挿入口６に挿入される（Ｓ１）。
【００５６】
ＩＣカード１が挿入されると、ホテル従業員の操作により、当該客室利用者が利用する客室の客室情報が作成される（Ｓ２）。
【００５７】
このとき、客室情報として入力されたチェックインの日時や、滞在期間や、チェックアウト時刻等の情報は、図示しない管理サーバなど与えられて管理される。また、部屋鍵情報は、客室毎に設定されているので、客室利用者による客室の選択と同時に決定される。
【００５８】
入力された客室情報は、表示部８に表示され、ホテル従業員に確認され、ホテル従業員による確認の後に、客室情報がＩＣカード１に与えられ（Ｓ３）。
【００５９】
このようにして、客室利用者が所持するカードが、利用する客室の部屋鍵として機能し得るものとなる。
【００６０】
次に、客室利用者が、ＩＣカード１を利用して客室に入室する場合の動作について図４を参照して説明する。
【００６１】
ＩＣカード１が、客室のドア近傍に設置された認識装置１１の情報取込部１２にかざされ、ＩＣカード１は、認識装置１１により検知される（Ｓ１１）。
【００６２】
このとき、認識装置１１が検知したカードが、ＩＣカードでないと認識装置１１により判断されると、その旨が表示されてエラーとなる（Ｓ１６）。
【００６３】
認識装置１１が検知したカードがＩＣカード１であると判断されると、情報読取部１３により、ＩＣカード１に記憶されている客室情報が読み取られ、情報認証部１４に与えられる（Ｓ１２）。
【００６４】
このとき、情報読取部１３は、客室情報の少なくとも部屋鍵情報とチェックイン日時とチェックアウト予定日時とを読み取る。
【００６５】
また、認識装置１１が検知したカードがＩＣカードであると判断されたとしても、そのＩＣカードが客室情報を有していないと判断されると、その旨が表示されてエラーとなる（Ｓ１６）。
【００６６】
ＩＣカード１から客室情報が読み取られると、情報認証部１４により、当該時刻が客室の利用期間内であることの確認をした後に、予め登録されている認識情報と部屋鍵情報とに基づいて部屋鍵情報の認証が行われる（Ｓ１３）。
【００６７】
情報認証部１４による認証結果は、部屋錠開閉制御部１５に与えられる。
【００６８】
この部屋鍵情報の認証結果が正当であると判断されると、部屋錠閉制御部１５の制御により、部屋錠を旋錠又は解錠する（Ｓ１５）。
【００６９】
また、客室情報と認識情報との認証結果が正当でないと判断されると、部屋鍵として認識されずエラーとなる（Ｓ１６）。
【００７０】
次に、客室利用者がチェックアウトをする際、ＩＣカード１の客室情報を取り出し廃棄する動作について説明する。
【００７１】
客室利用者がチェックアウトする際に、ホテル受付の客室管理端末５にＩＣカード１が挿入される。
【００７２】
ホテル従業員の操作により、チェックインの際に記憶した客室情報をＩＣカード１から取り出し、客室管理端末５の操作により、その取り出した客室情報を廃棄する。
【００７３】
このとき、例えば、ＩＣカード１における客室情報の記憶先アドレスに基づいて、そのアドレスに記憶されている情報を取り出すようにしてもよい。なお、この客室情報の廃棄の前に、その廃棄する予定の情報を表示部８に表示させて、ホテル従業員により確認された後に廃棄を実行するようにしてもよい。
【００７４】
また、このとき、客室情報に含まれているチェックアウト日時の情報に基づいて、当該客室利用者のチェックイン時に入力したチェックアウト日時と実際のチェックアウト日時とを照合することができる。
【００７５】
（Ａ−３）第１の実施形態の効果
以上のように、第1の実施形態によれば、客室利用者が通常所持しているＩＣカード１を部屋鍵として利用するので、客室利用者にとってより利便性がよくなる。
【００７６】
また、第1の実施形態によれば、客室利用者が所持するＩＣカード１に客室情報として、少なくとも部屋鍵情報とチェックイン日時とチェックアウト予定日時とを記憶させることで、部屋鍵として機能性についてセキュリティを高めることができる。
【００７７】
また、第1の実施形態によれば、チェックアウトの際に、そのＩＣカード１に記憶した客室情報のみを取り出し廃棄することができるので、ホテルの滞在期間のみＩＣカードを部屋鍵として有効に利用することができる。
【００７８】
（Ｂ）第２の実施形態
次に、本発明の部屋管理システムの第２の実施形態について図面を参照して説明する。
【００７９】
第２の実施形態も、ホテルにおける客室の部屋鍵としてカードを利用する場合の適用である。
【００８０】
（Ｂ−１）第２の実施形態の構成
図５は、第２の実施形態の部屋管理システムの機能を説明するために、その機能ブロックとして示した概念図である。
【００８１】
図５に示すように、部屋管理システム２００は、客室管理端末５と、ｎ室の客室に設置された認識装置１８−１〜１８−ｎと、ホテル内管理装置１７とが接続回線を介して接続しているシステムである。
【００８２】
なお、図５において、客室管理端末５は、第１の実施形態の構成要件に対応するものであり、対応する符号を付す。以下では、客室管理端末５の機能構成の詳細な説明は省略し、第１の実施形態とは異なる機能について詳細に説明する。
【００８３】
図５において、各構成要件を接続する接続回線は、ホテル内で既に設置されている回線であってよく、例えばホテル内の専用回線や、公衆回線や、インターネット等や、又これらを複数結合した回線であってもよい。
【００８４】
客室管理端末５は、客室利用者のＩＣカード１に対して客室情報を記憶させるものである。図５では、１個の客室管理端末５のみ示したが当然複数備えてもよい。客室管理端末１は、ＩＣカード１に記憶させた客室情報をホテル内管理装置１７に与えるものである。
【００８５】
客室管理端末１がＩＣカード１に記憶させる客室情報は、第1の実施形態と同じように、ＩＤ番号、部屋鍵情報、部屋番号、チェックイン日時、チェックアウト予定日時等である。
【００８６】
ここで、部屋鍵情報は、第1の実施形態と同じように、各客室毎に予め設定されたものを使用してもよいが、各客室利用者により自由に設定することができるようにしてもよい。
【００８７】
例えば、客室管理端末５は、チェックインの際に、客室利用者が自由に設定した情報を取り込み、その情報を部屋鍵情報としてＩＣカード１に記憶させると共に、ホテル内管理装置１７に与える。
【００８８】
ホテル内管理装置１７は、ホテル内のすべての客室管理等を行なう管理装置である。ホテル内管理装置１７は、客室管理端末５からＩＣカード１に記憶させた客室情報を受け取り、その客室情報を各客室毎に管理するものである。
【００８９】
また、ホテル内管理装置１７は、各認識装置１８−１〜１８−ｎから部屋鍵情報を受け取り、その受け取った部屋鍵情報と管理する対応客室の部屋鍵情報とを認証するものである。ホテル内管理装置１７は、その認証結果に応じて、その認識装置１８−１〜１８−ｎに部屋錠の解錠又は旋錠指示を与えるものである。
【００９０】
図６は、ホテル内管理装置１７の機能を説明するための内部ブロック図である。図６に示すように、ホテル内管理装置１７は、客室情報管理部１９と、通信部２０と、情報認証部２１と、解錠／旋錠指示部２２と、制御部２３とを有する。
【００９１】
客室情報管理部１９は、通信部２０を介して客室管理端末５から受け取った客室情報を各客室毎に記憶するものである。
【００９２】
通信部２０は、接続回線を介して客室管理端末５又は各認識装置１８−１〜１８−ｎ等と通信する通信手段である。
【００９３】
情報認証部２１は、通信部２０を介して各認識装置１８−１〜１８−ｎから部屋鍵情報を受け取ると、その認識装置１８−１〜１８−ｎに対応する客室情報を客室情報管理部１９から取り出し、その客室情報に含まれているチェックイン日時とチェックアウト予定日時とに基づいてその客室の利用期間を確認した上で、部屋鍵情報の認証をするものである。
【００９４】
解錠／旋錠指示部２２は、情報認証部２１による部屋鍵情報の認証結果が正当である場合、その客室の認証装置１８−１〜１８−ｎに対して解錠／旋錠指示を与えるものである。
【００９５】
制御部２３は、ホテル内管理装置１７の機能動作を制御するものである。
【００９６】
各認識装置１８−１〜１８−ｎは、各客室のドアの近傍に設置されているものである。各認識装置１８−１〜１８−ｎは、客室利用者によりかざされたＩＣカード１から部屋鍵情報を読み出し、その読み出した部屋鍵情報をホテル管理装置１７に与えるものである。
【００９７】
また、各認識装置１８−１〜１８−ｎは、ホテル内管理装置から解錠／旋錠指示を受け取り、その解錠／旋錠指示に従って部屋錠の解錠又は旋錠をする。
【００９８】
図７は、認証装置１８−１〜１８−ｎの内部構成を示したブロック図である。
【００９９】
図７に示すように、認証装置１８−１〜１８−ｎは、通信部２４と、情報読取部２５と、部屋錠開閉制御部２６と、部屋錠２７とを有している。
【０１００】
情報読取部２５は、検知したＩＣカード１から少なくとも部屋部屋情報を読み取り、その部屋鍵情報を通信部２４を介してホテル内管理装置１７に与えるものである。
【０１０１】
部屋錠開閉制御部２６は、通信部を介してホテル内管理装置１７から解錠／旋錠指示を受け取り、その解錠又は旋錠指示に従って部屋錠の解錠又は旋錠を行なうものである。
【０１０２】
（Ｂ−２）第２の実施形態の動作
次に、第２の実施形態の部屋管理システム２００の動作について図８を参照して説明する。
【０１０３】
図８は、第２の実施形態の部屋管理システム２００において、客室の部屋錠の解錠又は旋錠動作を示すフローチャートである。なお、図８では、各認識装置１８−１〜１８−ｎの代表を認識装置１８として説明する。
【０１０４】
ＩＣカード１は、客室利用者により認識装置１８の情報取込部にかざされ、認識装置１８によって、その存在が検知される（Ｓ２１）。
【０１０５】
この認識装置１８によるＩＣカード１の検知処理は、第１の実施形態での検知処理と同じ処理でよい。
【０１０６】
認識装置１８によりＩＣカード１が検知されると、そのＩＣカード１に記憶されている部屋鍵情報が読み取られる（Ｓ２２）。
【０１０７】
認識装置１８により読み取られた部屋鍵情報は、接続回線を介してホテル内管理装置１７に与えられる（Ｓ２３及びＳ２４）。このとき、ホテル内管理装置１７に部屋鍵情報が受信した時刻（又は認識装置１８から部屋鍵情報が送信された時刻）が、利用期間内であるかの確認が行われる。
【０１０８】
認識装置１８からの部屋鍵情報は、ホテル内管理装置１７の情報認証部２１により、客室情報管理部１９を参照されて、その部屋鍵情報の認証処理が行われる（Ｓ２５）。
【０１０９】
情報認証部２１による認証処理の結果が正当である場合、解錠／旋錠指示部２２により解錠／旋錠指示が、認識装置１８に与えられる（Ｓ２６及びＳ２７）。
【０１１０】
ホテル内管理装置１７から解錠／旋錠指示が与えられると、認識装置１８により、部屋錠の解錠／旋錠が行われる（Ｓ２８）。
【０１１１】
また、情報認証部２１による認証処理の結果が正当でない場合、その認証結果が、認識装置１８に与えられ、認識装置１８において、その旨が表示される（Ｓ２６及びＳ２９）。
【０１１２】
以上のようにして、第２の実施形態の客室管理システム２００は、各客室の部屋錠の解錠／旋錠動作を行なう。
【０１１３】
また、第２の実施形態の変形例として、認識装置１８−１〜１８−ｎが、部屋鍵情報を記憶する記憶部と情報認証部（図７には図示しない）を備え、チェックインの際に、認識装置１８−１〜１８−ｎが、客室利用者により設定された又は予め設定された少なくとも部屋鍵情報を受け取り記憶し、認識装置１８−１〜１８−ｎが、部屋鍵情報の認証を直接行うようにしてもよい。
【０１１４】
このとき、認識装置１８−１〜１８−ｎは、チェックインの際に、客室管理端末５から直接部屋鍵情報を受け取るようにしてもよいし、又は、一度ホテル内管理サーバ１７により保持された後に、ホテル内管理サーバ１７から部屋鍵情報を受け取るようにしてもよい。
【０１１５】
また、別の変形例として、図９に示すように、複数の客室の部屋錠についての部屋錠情報認証処理を行なう情報認証手段２８−１〜２８−ｎを備えるようにしてもよい。
【０１１６】
この情報認証手段２８−１〜２８−ｎはそれぞれ、割当てられた複数の認識装置１８−１〜１８−ｎの部屋鍵情報を記憶する記憶部（図示しない）を有しており、チェックインの際に、客室管理端末５又はホテル内管理サーバ１７から対応する認識装置１８−１〜１８−ｎの部屋鍵情報を受け取り記憶する。そして、各情報認証手段２８−１〜２８−ｎは、客室利用者が客室に入室する際に、対応する認識装置１８−１〜１８−ｎのいずれかが検知したＩＣカード１の部屋鍵情報と、記憶している部屋鍵情報とに基づいて認証処理をする。
【０１１７】
（Ｂ−３）第２の実施形態の効果
以上、第２の実施形態によれば、第１の実施形態と同様の効果を奏することに加え、各構成要件を接続回線で接続することで各客室の部屋鍵の解錠／旋錠制御をオンラインで行なうことができる。
【０１１８】
（Ｃ）他の実施形態
（Ｃ−１）上述した第１及び第２の実施形態の部屋鍵情報の認証処理において、ＩＣカード１が有する部屋鍵情報と共に、他の複数の情報と組み合せた情報の認証処理をするようにしてもよい。例えば、部屋鍵情報と共に、部屋番号やチェックイン時に登録したパスワード（客室利用者が設定したもの）とを組み合わせて、これら複数の情報が全て正当である場合に、部屋錠の解錠又は旋錠をするようにしてもよい。
【０１１９】
（Ｃ−２）上述した第１及び第２の実施形態では、認識装置又はホテル内管理サーバ１７が、部屋鍵情報の認証処理をすることして説明したが、カード自体が情報認証手段を備え、ＩＣカード１上において、部屋鍵情報の認証処理をするようにしても良い。
【０１２０】
例えば、部屋錠を解錠又は旋錠する際に、対応する認識装置に記憶されている部屋鍵情報がＩＣカード１に与えられ、ＩＣカード１において、部屋鍵情報の認証処理が行われ、その認証結果に応じて、認証装置が部屋錠を解錠又は旋錠する。
【０１２１】
【発明の効果】
以上、本発明によれば、部屋利用者の部屋鍵としてカードを用いる部屋管理システムにおいて、部屋利用者が所持する、少なくとも記憶機能を有する金融カードと、部屋利用者が当該部屋を利用前に、少なくとも、当該部屋の部屋鍵情報と、当該部屋の利用開始日時情報と、当該部屋の利用終了予定日時情報とを金融カードに登録する情報登録手段と、部屋利用者が当該部屋を利用する場合に、金融カードから少なくとも部屋鍵情報と利用開始日時情報と利用終了予定日時情報とを読み取る情報読取手段と、情報読取手段からの利用開始日時情報と利用終了予定日時情報とに基づいて利用許可期間内であることを確認すると共に、予め設定されている認識情報と部屋鍵情報とに基づいて部屋鍵情報の認証をする情報認証手段と、情報認証手段の認証結果に応じて、当該部屋錠の解錠又は旋錠を制御する錠制御手段とを備えることにより、利用者にとって利便性がよく、セキュリティーの高い部屋管理をすることができる。
【図面の簡単な説明】
【図１】第1の実施形態の部屋管理システムを示した概念図である。
【図２】第1の実施形態の認識装置の内部構成を示したブロック図である。
【図３】第1の実施形態の部屋管理システムにおける客室情報の登録動作を示すフローチャートである。
【図４】第1の実施形態の部屋管理システムにおける部屋鍵情報の認証動作を示すフローチャートである。
【図５】第２の実施形態の部屋管理システムを示した概念図である。
【図６】第２の実施形態のホテル内管理装置の内部構成を示したブロック図である。
【図７】第２の実施形態の認識装置の内部構成を示したブロック図である。
【図８】第1の実施形態の部屋管理システムにおける部屋鍵情報の認証動作を示すフローチャートである。
【図９】第２の実施形態の部屋管理システムの変形例を示した概念図である。
【符号の説明】
１…ＩＣカード、５…客室管理端末、１１…認識装置、１３…情報読取部、
１４…情報認証部、１５…部屋錠開閉制御部、１６…部屋錠、
１００…部屋管理システム。
【図１】
2004206516.tif 000003
【図２】
2004206516.tif 000004
【図３】
2004206516.tif 000005
【図４】
2004206516.tif 000006
【図５】
2004206516.tif 000007
【図６】
2004206516.tif 000008
【図７】
2004206516.tif 000009
【図８】
2004206516.tif 000010
【図９】
2004206516.tif 000011